(57)【要約】【課題】リフト装置自体を移動させずに、被介護者の位置を移すことができるようにし、リフト装置の取回しを簡単にして被介護者を安全に移動させる。【解決手段】開放部を有して車椅子や洋便器などの被介護者着座使用用具の三方に亘って配置できる形状の底枠６にキャスター７が取り付けられて移動可能にした台車２に、支承体１５を張り出させた柱体１２を昇降させる昇降手段を有した支柱３を回転可能に立設し、支柱３におけるアーム１５の下面側に、被介護者を乗せるシートネット１７が掛け止めできる回転板４を回転可能にして取り付けた。【選択図】    図１
2004223078.tif 000002
【特許請求の範囲】
【請求項１】
台車前部から台車中央部に亘る領域に開放部を有して車椅子や洋便器などの被介護者着座使用用具の三方に亘って配置できる形状の底枠にキャスターが取り付けられて移動可能にした台車と、
上端から支承体を張り出させた柱体を昇降させる昇降手段を有し、前記台車に回転部を介して回転可能に立設された支柱と、
前記支柱における支承体の下面側に回転可能にして取り付けられ、被介護者を乗せるシートネットの吊りベルトが掛け止めできる回転板とからなることを特徴とする介護用リフト装置。
【発明の詳細な説明】
【０００１】
【発明の属する技術分野】
本発明は介護用リフト装置に関するものである。
【０００２】
【従来の技術】
従来から、ベッドで寝たきりとなっている被介護者を車椅子に乗せたり、その被介護者を車椅子から洋便器に腰掛け直させるなどの場合、また逆に車椅子からベッド上に移すような場合は、介護者に多くの労力を強いるものとなっており、介護者側にも体力、腕力が必要となっている。このような点から被介護者の移動に際して機械力が導入されるようになってきており、例えば移動可能とした台車に、側方に張り出した固定アームを上下させる支柱を設けたリフト装置や支柱に旋回可能な作業アームを備えるリフト装置が提案されている（例えば、特許文献１、特許文献２参照）。そしてこのようなリフト装置を用いて、被介護者を腰掛け姿勢にしてベッドから車椅子などへ、またその車椅子からベッドへと移動させるようにすることが行われ、機械力によって労力軽減が図られるようになってきた。
【０００３】
【特許文献１】
特開２００２−１４３２４０号（段落番号００１２、図１）
【特許文献２】
特開平６−０１４９６５号公報（段落番号００２７、図１９、図２０、図２１）
【０００４】
【発明が解決しようとする課題】
しかしながら、上記リフト装置にあっては吊り上げた被介護者の位置を、ベッド上から車椅子上へと、或いは車椅子上からベッド上へと変えるには、被介護者とリフト装置とをともに平行移動をさせており、被介護者を支持したままの移動であることから、重量物を扱う操作となって装置の取回しが簡単には行なえず、被介護者の吊り位置も大きく振れて、被介護者に不安を感じさせる可能性があった。
そこで本発明は上記事情に鑑み、リフト装置自体を移動させずに、被介護者の位置を移すことができるようにすることを課題とし、リフト装置の取回しを簡単にして被介護者を安全に移動させることを目的とする。
【０００５】
【課題を解決するための手段】
本発明は上記課題を考慮してなされたもので、台車前部から台車中央部に亘る領域に開放部を有して車椅子や洋便器などの被介護者着座使用用具の三方に亘って配置できる形状の底枠にキャスターが取り付けられて移動可能にした台車と、上端から支承体を張り出させた柱体を昇降させる昇降手段を有し、前記台車に回転部を介して回転可能に立設された支柱と、前記支柱における支承体の下面側に回転可能にして取り付けられ、被介護者を乗せるシートネットの吊りベルトが掛け止めできる回転板とからなることを特徴とする介護用リフト装置を提供して、上記課題を解消するものである。
【０００６】
【発明の実施の形態】
つぎに本発明を図１から図４に示す実施の形態に基づいて詳細に説明する。
図中１は介護用リフト装置で、該介護用リフト装置１は、台車２とこの台車２に立設されている支柱３とこの支柱３に支持されている回転板４とからなるものである。
本介護用リフト装置１における前記台車２は、図２に示されているように台車前部２ａから台車中央２ｂに亘る領域に開放部５を有して平面視形状が略コ字状となる底枠６と、この底枠６の下面に取り付けられたキャスター７とを備えてなるものであり、キャスター７は台車前部２ａの両端および台車後部２ｃの両端それぞれに配置されている。この四つのキャスター７は自在輪や固定輪のいずれでもよく、固定輪の場合は車輪の向きを台車２の前後方向に揃えるようにすればよい。また、必要時に車輪の回転を止めるストッパーを備えているものが良好である。
【０００７】
また、上記台車２にあっては、底枠６の台車後部２ｃとなる部分に台車２の幅方向に出し入れ可能にした補助ステー８が設けられており、本介護用リフト装置１の使用時にこの補助ステー８それぞれを引き出し、先端にあるねじ脚９を床に接して装置全体の姿勢を安定させることができるようにしている。
【０００８】
上記支柱３は、台車２における台車後部２ｃの中央に位置していて、図示されているように、図示しない動力源を有した回転駆動機構が組み入れられている回転部１０を介して回転可能に立設され、支柱中心を装置高さ方向に沿った回転軸中心として、例えば３６０度の範囲でこの回転部１０から回転可能に設けられている。台車２上で起立状態となっている支柱３の回転は、前記動力源からの回転駆動機構による制御された動作に限定されず、必要に応じて回転駆動機構の駆動伝達を切って介護者の手操作によってもこの支柱３が回転できるように設けられている。
【０００９】
また、支柱３は対のガイド１１それぞれに柱体１２を上下移動可能に配するとともに、前記ガイド１１の基端側の昇降機駆動ボックス１３内に配した図示しない駆動源から動力を受けて伸縮する昇降手段１４が前記柱体１２に連結されていて、昇降手段１４の動作により柱体１２が昇降するように設けられている。
さらに、柱体１２それぞれの上端には、柱体１２の高さ方向に対して側方であって同方向に張り出るようにして枠状や板状にした支承体１５が取り付けられており、支承体１５が回転駆動手段１６を介して上記回転板４を回転可能に支持している。
【００１０】
回転板４は上記回転駆動手段１６の動作によって回転動作や停止維持などが制御されるものである。そして、この回転板４は図示されているように、腰掛け姿勢の被介護者を受けるシートネット１７の三本の吊りベルト１８を掛け止めるフック１９が側面三ヶ所に取り付けられていて、図示の例の回転板４は方形であり、対向二面の同方向端部にフック１９を配するとともに、残り二面において前記対向二面のフック１９が位置する側とは反対側の面の中央にフック１９が配されている。なお、フック１９の個数や位置は特に限定されるものではなく、シートネット１７の形状や吊りベルト１８の位置、本数に応じて設定されるものである。
回転板４の動作は上述したように上記回転駆動手段１６の動作によって制御され、この回転板４の回転や停止によってシートネット１７に腰掛け姿勢で吊支している被介護者の向きを変えることができる。なお、本発明において、回転板４の動作は回転駆動手段１６の動作に制御されるものに限定されず、必要に応じて回転駆動手段１６での駆動伝達を切り、被介護者の向きを介護者の手作業で変えるようにすることも可能である。
【００１１】
本介護用リフト装置１では、台車２の高さ寸法が病棟用ベッドの下に入れることのできるように十分に低く設定されていて、台車２の台座前部２ａからベッド下に差し入れるとともに、回転板４をベッド上に位置させる。そののち、被介護者の下に敷いたシートネット１７の吊りベルト１８を、腰掛け姿勢となるように支柱３の高さ調整しながらフック１９にかけたのち、被介護者を回転板４の上昇により吊り上げるようにする。そして、本介護用リフト装置１の背部に配した車椅子の上方位置となるまで支柱３を回転させる。このとき車椅子の向きなどの条件に応じて回転板４を回転させる。支柱３と回転板４との回転動作は同期させたり、或いは別個に行なうようにすることが可能であり、さらにはそれぞれを手動操作にて行なうようにしてもよい。また、本実施の例では支柱３を伸縮させる昇降手段１４も手動にて操作することが可能なものである。車椅子の上方に位置させた後には支柱３を縮めて被介護者を腰掛けさせ、シートネット１７を取り外すようにすればよい。
【００１２】
また、上述したように台車２にあっては、台車前部２ａから続く開放部５があるため、被介護者が腰掛けている車椅子や洋便器などの被介護者着座使用用具の三方に亘って配置できる。よって、被介護者着座使用用具が開放部５に入るように本介護用リフト装置１を配置し、その被介護者着座使用用具に腰掛けている被介護者の下に上記シートネット１７を敷けば、上記ベッドからの移動と同様に被介護者を洋便器から車椅子に移したり、車椅子から洋便器に移したりすることができる。この場合、支柱回転によるシートネット１７の旋回範囲に被介護者着座使用用具を位置させることが望ましい。上記補助ステー８は必要に応じて引き出すようにする。
さらに上記実施の例において台車２を略コ字状としたがこの例に限定されるものではなく、例えば図４に示すように略Ｃ字状とすることも可能なものである。
【００１３】
【発明の効果】
以上説明したように本発明の介護用リフト装置は、台車前部から台車中央部に亘る領域に開放部を有して車椅子や洋便器などの被介護者着座使用用具の三方に亘って配置できる形状の底枠にキャスターが取り付けられて移動可能にした台車と、上端から支承体を張り出させた柱体を昇降させる昇降手段を有し、前記台車に回転部を介して回転可能に立設された支柱と、前記支柱における支承体の下面側に回転可能にして取り付けられ、被介護者を乗せるシートネットの吊りベルトが掛け止めできる回転板とからなることを特徴とするものであり、支柱および被介護者を吊支する回転板がそれぞれ回転可能であることから、被介護者をベッド上から車椅子に移したり、車椅子からベッド上に移したりする際にも、支柱の旋回操作で移動が行なえ、被介護者を吊支した状態のまま装置全体を移動させる必要がなくなり、装置自体の操作が頗る簡単になって被介護者にも不安を感じさせることがないなど、実用性に優れた効果を奏するものである。
【図面の簡単な説明】
【図１】本発明に係る介護用リフト装置の一例を台車前部側から見た状態を示す説明図である。
【図２】一例を台車幅方向に沿った方向から見た状態を示す説明図である。
【図３】台車を示す説明図である。
【図４】台車の他の例を示す説明図である。
【符号の説明】
１…介護用リフト装置
２…台車
３…支柱
４…回転板
５…開放部
６…底枠
１０…回転部
１１…ガイド
１２…柱体
１４…昇降手段
１５…支承体
１６…回転駆動手段
１７…シートネット
１８…吊りベルト
１９…フック
【図１】
2004223078.tif 000003
【図２】
2004223078.tif 000004
【図３】
2004223078.tif 000005
【図４】
2004223078.tif 000006